(57)【要約】【課題】  入賞装置に入球した遊技球の球噛みの発生を防止する。【解決手段】  遊技球Ｂが流下可能な遊技領域４ａを有する遊技盤４に、遊技球Ｂが入球可能な入賞装置１７を設けた弾球遊技機１において、入賞装置１７は、正面視において左右方向のいずれか一方に下向き傾斜する底面部２０ｃを有するケース２０と、ケース２０の上部に設けられ遊技球をケース２０内に入球可能とする入賞口１７１と、入賞口１７１への遊技球Ｂの入球を不能とする閉鎖位置及び可能とする開放位置に移動可能な開閉部材１７２と、底面部２０ｃの下流側に設けられ遊技球Ｂを導入可能な回収口２３と、回収口２３に導入された遊技球Ｂの通過を検知する検知センサ２４とを有し、ケース２０内に、回収口２３の上方にあって、当該上方から落下する遊技球Ｂを底面部２０ｃの上流側へ誘導可能な突出部２５を設ける。【選択図】  図４
2016016141.tif 000002
【特許請求の範囲】
【請求項１】
遊技球が流下可能な遊技領域を有する遊技盤に、遊技球が入球可能な入賞装置を設けた弾球遊技機において、
前記入賞装置は、
正面視において左右方向のいずれか一方に下向き傾斜する底面部を有するケースと、
前記ケースの上部に設けられ遊技球を前記ケース内に入球可能とする入賞口と、
前記入賞口への前記遊技球の入球を不能とする閉鎖位置及び可能とする開放位置に移動可能な開閉部材と、
前記底面部の下流側に設けられ遊技球を導入可能な回収口と、
前記回収口に導入された遊技球の通過を検知する検知センサと、を有し、
前記ケース内に、前記回収口の上方にあって、当該上方から落下する遊技球を前記底面部の上流側へ誘導可能な突出部を設けたことを特徴とする弾球遊技機。
【請求項２】
前記突出部は、舌片状であって、前記底面部の上流側に向かって下向き傾斜することを特徴とする請求項１記載の弾球遊技機。
【請求項３】
前記突出部は、釘であることを特徴とする請求項１記載の弾球遊技機。
【発明の詳細な説明】
【技術分野】
【０００１】
本発明は、弾球遊技機に係わり、特に遊技球が入球可能な入賞装置を備えた弾球遊技機に関する。
【背景技術】
【０００２】
従来、弾球遊技機においては、遊技球が打ち込まれる遊技領域に遊技状態が特別遊技状態になったとき遊技球が入球可能な入賞装置を備え、当該入賞装置の前面を透明部材により形成することで、入賞装置に入球した遊技球の転動が目視可能として、遊技の興趣を高めるようにしたものがある。
【０００３】
例えば、特許文献１に記載の弾球遊技機（特許文献１では「パチンコ遊技機」）においては、入賞装置の前面を透明部材で形成して、入賞装置の内部が遊技者から視認可能とするとともに、入賞装置内に入賞球カウンタを設けることで、入賞装置が閉じた状態でも入賞装置に入賞した遊技球の数を知ることができるようにしている。
【先行技術文献】
【特許文献】
【０００４】
【特許文献１】特開２０００−０２４２０２号公報
【発明の概要】
【発明が解決しようとする課題】
【０００５】
しかしながら、特許文献１に記載された弾球遊技機においては、入賞装置の前面を透明とすることで、入賞球カウンタを視認出来るものの、入賞装置に複数の遊技球が同時に入賞した場合には、入賞装置の内部に設けた回収口で、遊技球が球噛み現象を起こし、遊技球が回収口から導出されない事態が発生する虞がある。
【０００６】
本発明は、かかる課題に鑑みなされたものであって、入賞装置に入球した遊技球の球噛みの発生を防止することができる弾球遊技機を提供することを目的とする。
【課題を解決するための手段】
【０００７】
本発明によると、上記課題は、次のようにして解決される。
第１の発明は、遊技球が流下可能な遊技領域を有する遊技盤に、遊技球が入球可能な入賞装置を設けた弾球遊技機において、前記入賞装置は、正面視において左右方向のいずれか一方に下向き傾斜する底面部を有するケースと、前記ケースの上部に設けられ遊技球を前記ケース内に入球可能とする入賞口と、前記入賞口への前記遊技球の入球を不能とする閉鎖位置及び可能とする開放位置に移動可能な開閉部材と、前記底面部の下流側に設けられ遊技球を導入可能な回収口と、前記回収口に導入された遊技球の通過を検知する検知センサと、を有し、前記ケース内に、前記回収口の上方にあって、当該上方から落下する遊技球を前記底面部の上流側へ誘導可能な突出部を設ける。
【０００８】
第２の発明は、第１の発明において、前記突出部は、舌片状であって、前記底面部の上流側に向かって下向き傾斜する。
【０００９】
第３の発明は、第１の発明において、前記突出部は、釘である。
【発明の効果】
【００１０】
本発明によると、転動する遊技球の球噛みの発生を防止するともに、遊技の興趣を高めることができる。
【図面の簡単な説明】
【００１１】
【図１】本発明に係る弾球遊技機の斜め前方から見た斜視図である。
【図２】同じく弾球遊技機における遊技盤の正面図である。
【図３】同じく斜め前方から見た要部の斜視図である。
【図４】同じく要部の拡大正面図である。
【図５】変形例における弾球遊技機の要部の拡大正面図である。
【発明を実施するための形態】
【００１２】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１３】
なお、以下の説明において弾球遊技機１の各部の左右方向は、その弾球遊技機１の正面に対面する者にとっての左右方向に合わせて説明する。
【００１４】
（弾球遊技機１の全体構造）
図１に示すように、弾球遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤４（図２参照）と、遊技盤４の前側にあって、内枠３の左枠部に上下の蝶番（図示略）により垂直軸回りに開閉自在に取り付けられ、遊技盤４の前面を閉塞し、遊技者が透視し得る透明な板であるガラス板（合成樹脂板）５ａを嵌め込んだガラス枠５と、遊技盤４の後側に設けられ賞球や貸球等の遊技球Ｂを払出可能な払出装置（図示略）と、ガラス枠５の下部に設けられ、払出装置から払い出される遊技球Ｂを貯留するための受皿部６と、ガラス枠５の下部裏側に設けられ受皿部６に貯留されている遊技球Ｂを導入して遊技盤４の前面に形成される遊技領域４ａへ向けて発射するための発射装置（図示略）と、ガラス枠５の前面右下部に設けられ受皿部６に貯留された遊技球Ｂを遊技領域４ａへ打ち出す際に操作される発射ハンドル７と、ガラス枠５の上部に設けられ遊技状況に応じた効果音を出力するスピーカ８Ｌ、８Ｒと、ガラス枠５の前側に設けられ遊技状況に応じて点灯、消灯及び点滅する照明演出を行う電飾装置９と、遊技盤４の後側に設置される表示装置１０（図２参照）と、遊技盤４の裏側に設置され、遊技進行及び遊技演出を制御するためのマイクロコンピュータにより構成される各種制御装置（図示略）等とを備える。
なお、制御装置は、弾球遊技機１を統括して制御（大当たり抽選を含む）する主制御装置と、演出に係る制御（演出抽選を含む）を行う副制御装置とに分けて設けるようにしてもよい。
【００１５】
表示装置１０は、例えば液晶ディスプレイから構成され、ガラス板５ａを透して遊技者が視認可能な表示画面１０１（図２参照）に遊技に係わる情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１６】
（遊技盤４及びそれに関係する構造）
図２に示すように、遊技盤４は、アクリル樹脂等の透明合成樹脂板により正面視ほぼ方形に形成されると共に、前面には、内外のガイドレール１１、１１によって包囲される円形（楕円形を含む）の遊技領域４ａが形成される。受皿部６に貯留された遊技球Ｂは、発射ハンドル７が回転操作されることにより、発射装置から発射されて、内外のガイドレール１１、１１により左斜め上方へ誘導されて、遊技領域４ａの左上部から遊技領域４ａ内に導入されて流下可能となる。
【００１７】
遊技盤４の遊技領域４ａの略中央部には、遊技盤４の後側に設置される表示装置１０の表示画面１０１に表示される演出図柄を視認し得るように開口する表示窓１２１を有すると共に、表面に各種模様が施された正面視で枠状の装飾枠１２が固定される。
なお、遊技盤４における表示窓１２１以外の一部の領域は、模様、彩色等が施された不透明の装飾板等が貼着されることにより、弾球遊技機１の内部構造が見えないように隠蔽される。
【００１８】
さらに、遊技領域４ａには、遊技領域４ａに打ち込まれた遊技球Ｂの流下方向を変化させる多数の釘（図示略）及び風車（図示略）と、表示窓１２１の下方にあって、遊技領域４ａの左領域（装飾枠１２の左側の領域）を流下する遊技球Ｂのうち装飾枠１２の左部に設けられたワープ孔１２２に進入したワープ球（遊技球Ｂ）を中央に向かって導入し、当該ワープ球を左右及び前後方向へ転動させ得るステージ１２３と、ステージ１２３の下方にあって、遊技領域４ａを流下する遊技球Ｂ及びステージ１２３の前側から落下したワープ球が入球可能な第１始動入賞口（入賞口）１３と、左領域（装飾枠１２の左側の領域）にあって、遊技領域４ａの左領域を流下する遊技球Ｂが通過可能なスルーチャッカ１４と、第１始動入賞口１３の下方にあって、遊技領域４ａを流下する遊技球Ｂが入球可能な第２始動入賞口（入賞口）１５と、第２始動入賞口１５の下方にあって、遊技状態が大当たり遊技状態のうち通常大当たり遊技状態に移行した場合、遊技球Ｂが入球可能な通常大入賞口（入賞口）１６と、第１始動入賞口１３及び第２始動入賞口１５の右方にあって、遊技状態が通常大当たり遊技状態とは異なる特別大当たり遊技状態に移行した場合、遊技領域４ａの右領域を流下する右打ちされた遊技球Ｂ（右打ち遊技球Ｂ）が入球可能な特別大入賞装置（入賞装置）１７と、遊技領域４ａの最下端部にあって、遊技領域４ａに打ち込まれた遊技球Ｂのうち第１始動入賞口１３、第２始動入賞口１５、通常大入賞口１６、及び特別大入賞装置１７に入球しなかったアウト球（遊技球Ｂ）を遊技盤４の裏面側に排出するアウト口１８とが設けられる。
【００１９】
また、第１始動入賞口１３、第２始動入賞口１５、通常大入賞口１６の内部には、それぞれ遊技球Ｂの入球を検知するための検知センサ（図示略）が設けられており、さらに、特別大入賞装置１７の内部には遊技球Ｂの入球を検知するための、後述の検知センサ２４が設けられており、それぞれ遊技球Ｂの入球を検知すると、所定個数の遊技球Ｂが賞球として遊技者に払い出される。
なお、以下、遊技球Ｂが、第１始動入賞口１３、第２始動入賞口１５、及び通常大入賞口１６に入球し検知センサによって検知されたことを入賞といい、同様に、遊技球Ｂが、特別大入賞装置１７に入球し検知センサ２４によって検知されたことを入賞という。
【００２０】
右打ち遊技球Ｂは、装飾枠１２の上面及び右外周面に形成される右打ち通路１２４を通過して遊技領域４ａの右領域に導かれる。遊技領域４ａの右下領域に導出された右打ち遊技球Ｂは、特別大入賞装置１７に入球可能となる。
【００２１】
なお、第１始動入賞口１３は、常時上向きに開口した遊技球入賞口であり、第２始動入賞口１５は、スルーチャッカ１４への遊技球Ｂの通過検出を契機（以下、通過を契機という）に制御装置により所定の確率で実行される抽選の結果、当選した場合に、遊技球Ｂが入球不能な閉鎖状態から入球可能な開放状態に変化可能であって、左右一対の開閉部材（電動チューリップ）１５１が、前後方向の軸に回動可能であって、外側側方に開放することにより、遊技球Ｂの入賞を可能とする。また、遊技球Ｂが、第１始動入賞口１３又は第２始動入賞口１５に入賞した場合、それぞれ１個以上の規定数の遊技球Ｂが賞品として払い出される（賞球）。当該規定数は、例えば、遊技球Ｂが第１始動入賞口１３に入賞した（入賞球）場合は、入賞球１球に対して１球の賞球、遊技球Ｂが第２始動入賞口１５に入賞した場合は、入賞球１球に対して３球の賞球等各々異なるように定めてもよい。
【００２２】
また、通常大入賞口１６は、通常大当たり遊技状態に移行した場合、遊技球Ｂが入球不能な閉鎖状態から入球可能な開放状態に移動可能な開閉部材１６１が、左右方向の軸に回動可能であって、前方に開放することにより、遊技球Ｂの入賞を可能とする。特別大入賞装置１７は、上部に設けた特別大入賞口（入賞口）１７１を開閉し得るように、前後方向へスライド移動可能な開閉部材１７２を有し、特別大当たり遊技状態に移行した場合、開閉部材１７２が特別大入賞口１７１を閉鎖する閉鎖位置から開放する開放位置に移動することで、遊技球Ｂの特別大入賞口１７１への入賞を可能にする。
【００２３】
通常遊技状態の場合、受皿部６に貯留されている遊技球Ｂが発射装置により発射され、遊技領域４ａに打ち込まれた遊技球Ｂが第１始動入賞口１３に入賞すると、これを契機に、弾球遊技機１の裏側に設けられる制御装置により実行される抽選の結果、所定の変動パターンに基づいて、表示画面１０１に演出図柄を所定の演出態様で表示する視覚演出を所定時間行った後、演出図柄が特定の組み合わせで確定表示し、通常大当たり遊技状態又は特別大当たり遊技状態が生起した場合には、通常大入賞口１６の開閉部材１６１又は特別大入賞装置１７の開閉部材１７２が開放する。
【００２４】
開閉部材１６１が開放し、通常大入賞口１６に遊技球Ｂが１０個入賞するか、または開閉部材１６１が開放してから３０秒が経過すると、開閉部材１６１は閉鎖する。同様に、開閉部材１７２が開放し、特別大入賞口１７１に遊技球Ｂが１０個入賞するか、または開閉部材１７２が開放してから３０秒が経過すると、開閉部材１７２は閉鎖する。
【００２５】
また、通常大入賞口１６内に設けた検知センサ（図示略）が、通常大入賞口１６に入賞した遊技球Ｂが特定領域を通過したことを検出した場合には、開閉部材１６１が閉鎖後に再度開放する。同様に、特別大入賞装置１７内に設けた検知センサ２４が、特別大入賞装置１７に入賞した遊技球Ｂが特定領域を通過したことを検出した場合には、開閉部材１７２が閉鎖後に再度開放する。
これにより、各大当たり遊技状態のときには、開放状態にある通常大入賞口１６又は特別大入賞装置１７に多数の遊技球Ｂが入賞可能となり、賞球払出装置（図示略）から賞球として大量の遊技球Ｂが短時間に受皿部６に払い出される。また、通常大入賞口１６又は特別大入賞装置１７に入賞した遊技球Ｂは遊技盤４の後側に排出される。
【００２６】
次に、本発明に係る特別大入賞装置（入賞装置）１７について説明する。
なお、図４、及び図５の特別大入賞装置１７は、前面に設けた後述の透明カバー１７３を取り外した状態で示している。
【００２７】
図３、及び図４に示すように、特別大入賞装置１７は、遊技盤４における遊技領域４ａの右下領域に設置され、遊技盤４の盤面に平行に固定されるベース部１９と、ベース部１９の前面に形成され前方及び上方が開口するケース２０と、ケース２０の前側を閉塞するアクリル樹脂等の透明合成樹脂板で形成される透明カバー１７３と、ケース２０の上部に形成される特別大入賞口１７１と、特別大入賞口１７１の真上に設置され、特別大入賞口１７１を開閉し得るように前後方向へスライド移動可能な開閉部材１７２とを有する。
【００２８】
ベース部１９は、遊技領域４ａに固定されることで、右下領域を流下する遊技球Ｂを左方向へ誘導する正面視左下り傾斜の誘導路１９１を形成する。
【００２９】
ケース２０は、ベース部１９の前面から前方へ突出するように形成され、右部を形成する縦方向の右壁部２０ａと、左部を形成する縦方向の左壁部２０ｂと、右壁部２０ａ及び左壁部２０ｂの両下端部同士を連結し、左右方向のいずれか一方（本実施形態においては、右側）に下向き傾斜する、つまり左側から右側へ向けて下り傾斜する底面部２０ｃと、右壁部２０ａ、左壁部２０ｂ、及び底面部２０ｃの後部を閉塞する後面部２０ｄとを有し、右壁部２０ａの上端と左壁部２０ｂの上端との間には、特別大入賞口１７１が形成される。
【００３０】
ケース２０における右壁部２０ａ、左壁部２０ｂ、底面部２０ｃ及び後面部２０ｄにより包囲される空間部２１内にあって、底面部２０ｃの最下流、すなわち右壁部２０ａと底面部２０ｃとの隅部には、特別大入賞口１７１に入球した遊技球Ｂを遊技盤４の裏側へ排出するための回収口２３が設けられ、回収口２３の上方には、ケース２０の後面部２０ｄから前方へ舌片状に突出し、特別大入賞口１７１に入球した遊技球Ｂのうち、回収口２３の略真上から落下する遊技球Ｂを受け止めたあと、底面部２０ｃの上流側、すなわち、図３〜図５に示すように、左側へ向けて誘導可能に上面が左下り傾斜する突出部２５が設けられる。また、回収口２３内には、回収口２３に導入された遊技球Ｂの通過を検知するための検知センサ２４が設けられる。さらには、回収口２３の前方には、底面部２０ｃを上流から下流へ向けて流下する遊技球Ｂが回収口２３に円滑に入球するように緩衝部２０ｅが設けられる。
【００３１】
開閉部材１７２は、特別大入賞口１７１の真上に前後方向へスライド移動可能に支持され、ベース部１９の裏側に設置される駆動装置（ソレノイド）２２の動力により、図３に示すように、ベース部１９の表面から突出し、特別大入賞口１７１を上側から閉鎖する閉鎖位置と、図３に示す矢印Ｘ方向へ移動することでベース部１９の裏側へ没入され、特別大入賞口１７１を開放する開放位置に移動される。
【００３２】
開閉部材１７２は、閉鎖位置にある場合、上面１７２ａの上流側の端部が誘導路１９１と略同一面、あるいは、上面１７２ａの上流側の端部が誘導路１９１の下流側の端部よりもわずかに下の位置となるように左下り傾斜した形態で特別大入賞口１７１を閉鎖することで、右打ち遊技球Ｂの特別大入賞口１７１への入球を不能とし、開閉部材１７２の上面１７２ａに遊技球Ｂを流下可能とさせ、図３に示す誘導路１９１により誘導された右打ち遊技球Ｂを矢印Ｙ方向である左方向、すなわち遊技盤４の中央側へ向けて誘導し、開放位置にある場合には、誘導路１９１により誘導された右打ち遊技球Ｂの特別大入賞口１７１への入球を可能にする。
【００３３】
特別大入賞装置１７の開閉部材１７２が開放位置にある場合、右打ち遊技球Ｂが特別大入賞口１７１に入球すると、当該入球した遊技球Ｂのうち、図４に遊技球Ｂの落下方向を矢印で示すように、特別大入賞口１７１の右部から入球、つまり回収口２３の略真上から落下した遊技球Ｂは、突出部２５の上面に当接することで、その傾斜も相まって空間部２１の上流側、つまり下流側に設けた回収口２３に直接向かうことなく、一旦底面部２０ｃの左側の上流側へ向かって誘導され、その後折り返し、底面部２０ｃの右側へ向かって転動して回収口２３に導入（入球）可能となる。これにより、特別大入賞口１７１に入賞した遊技球Ｂが回収口２３に到達するまでの時間を、突出部２５に衝突させずに直接底面部２０ｃ上を流下する場合と比較して遅延させるため、遊技球Ｂが特別大入賞口１７１に連続入球しても、複数の遊技球Ｂが一気に回収口２３に導入されることを防ぎ、空間部２１内で散けるため遊技球Ｂ同士の球噛み現象を防止することができる。
【００３４】
また、特別大入賞口１７１の左部から入球し、突出部２５に衝突することなく遊技球Ｂが入球した場合、遊技球Ｂは、底面部２０ｃの左側の上流側に落下したあと、底面部２０ｃの右側の下流側に向けて転動して回収口２３に導入（入球）可能となる。これにより、特別大入賞口１７１に入球した遊技球Ｂは、底面部２０ｃを転動したあとに回収口２３に到達するため、遊技球Ｂが特別大入賞口１７１に連続入球しても、複数の遊技球Ｂが回収口２３に到達するまでの間に球同士で時間差が設けられるため、一気に回収口２３に導入されることを防ぎ、空間部２１内で散けるため遊技球Ｂ同士の球噛み現象を防止することができる。
【００３５】
また、ケース２０の前側は、透明カバー１７３によりケース２０の空間部２１を流下する遊技球Ｂを遊技者が視認可能に覆われていることによって、遊技球Ｂが特別大入賞口１７１に入球し、ケース２０内を複数の遊技球Ｂが転動する様子を視認できるため、遊技の興趣が高まる。
【００３６】
図５は、本発明における変形例を示す。
変形例は、特別大入賞口１７１に入球した遊技球Ｂの落下方向へ変化させる突出部を、前記実施例における舌片状の突出部２５に代えて、ケース２０の後面部２０ｄから前方へ突出する複数（例えば、５本）の釘（突出部）２６とし、かつ複数の釘２６のうち少なくとも１本の釘２６ａを回収口２３の真上に配置するとともに、当該釘２６ａの頭部を右壁部２０ａ側に寄せる調整を施すことで、回収口２３の真上から落下した遊技球Ｂが回収口２３に直接導入されないように、かつ底面部２０ｃ上流側（本実施例においては、左側、中間）寄りに案内されるようにし、残りの４本を釘２６ａよりも左側に、球詰まりが起こらない様、釘２６と釘２６、あるいは釘２６と左壁部２０ｂとに間隔をおいて配置する。
この場合、好ましくは、釘２６ａを含む複数の釘２６は、遊技球Ｂを底面部２０ｃの上流側へ弾くように傾きをつけて配置することで、遊技球Ｂが空間部２１内に長く滞留するため、興趣も高くなる。
【００３７】
この変形例においても、特別大入賞口１７１に入球した遊技球Ｂが回収口２３に到達するまでの時間が遅延するため、前記実施例と同様に、特別大入賞口１７１に遊技球Ｂが連続して入球しても、空間部２１内での遊技球Ｂの球噛み現象を防止することができる。
【００３８】
以上、本発明の実施形態について説明したが、本発明の趣旨を逸脱しない範囲内で、本実施形態に対して、次のような変形や変更を施すことが可能である。
舌片状の突出部２５を複数個設けたり、空間部２１内に舌片状の突出部２５及び釘２６に代えて、ケース２０内を左右方向に延びることで遊技球Ｂを誘導する誘導路を設けて、遊技球Ｂが回収口２３に導入するまでに整列するように流下させることで、球噛みを防止するようにする。
【符号の説明】
【００３９】
１  弾球遊技機
２  外枠
３  内枠
４  遊技盤
４ａ  遊技領域
５  ガラス枠
５ａ  ガラス板
６  受皿部
７  発射ハンドル
８Ｌ、８Ｒ  スピーカ
９  電飾装置
１０  表示装置
１１  ガイドレール
１２  装飾枠
１３  第１始動入賞口
１４  スルーチャッカ
１５  第２始動入賞口
１６  通常大入賞口
１７  特別大入賞装置（入賞装置）
１８  アウト口
１９  ベース部
２０  ケース
２０ａ  右壁部
２０ｂ  左壁部
２０ｃ  底面部
２０ｄ  後面部
２０ｅ  緩衝部
２１  空間部
２２  駆動装置
２３  回収口
２４  検知センサ
２５  突出部
２６  突出部（釘）
２６ａ  釘
１０１  表示画面
１２１  表示窓
１２２  ワープ孔
１２３  ステージ
１２４  右打ち通路
１５１  開閉部材（電動チューリップ）
１６１  開閉部材
１７１  特別大入賞口（入賞口）
１７２  開閉部材
１７２ａ  上面
１７３  透明カバー
１９１  誘導路
Ｂ  遊技球
Ｘ  矢印
Ｙ  矢印
【図１】
2016016141.tif 000003
【図２】
2016016141.tif 000004
【図３】
2016016141.tif 000005
【図４】
2016016141.tif 000006
【図５】
2016016141.tif 000007